(57)【要約】      （修正有）【課題】マスク本体をつける時の被覆性を大幅に向上させ、使用安全性と保護効果を向上させるマスクを提供する。【解決手段】マスクは、マスク本体１０の中央部分に少なくとも１つの折り畳み部１１が設けられ、マスク本体の両側の辺縁は、加熱およびプレスされて、２つのフィットサイド１２が形成され、マスク本体は両側の辺縁の折り畳み部上に形成されてフィットかつ固定され、２つのフィットサイドはともに横方向に剪断されて少なくとも１つのカット部１２１が設けられ、２つのフィットサイドは着用して引っ張られる際に、カット部を通して内側に収縮かつ交差し、少なくとも１つのオーバーラップ部を構成し、頬の皮膚により貼り付くことができ、同時にオーバーラップ部が形成されることにより、フィットサイドの密合効果を増加させる。【選択図】図２
0003231964.tif 000002
【実用新案登録請求の範囲】
【請求項１】
マスク本体を含む被覆性のあるマスクであって、
前記マスク本体は平面構造であり、その中央部分は折り畳まれて少なくとも１つの折り畳み部が設けられ、前記マスク本体は、折り畳み部を通して引き伸ばされ、かつ広げられ、前記マスク本体の両側の辺縁が加熱およびプレスされて、２つのフィットサイドが形成されたことによって、前記マスク本体は両側の辺縁の折り畳み部に固定するように成形され、前記マスクの折り畳み部が伸ばされ使用される際に、前記２つのフィットサイドによって、前記マスク本体の両側の辺縁が引き伸ばされることが制限され、また前記マスク本体の２つの前記フィットサイドはともに横方向の剪断によって少なくとも１つのカット部が設けられたことによって前記マスク本体の２つの前記フィットサイドは着用時に引っ張られる際に、前記カット部を通して２つのフィットサイドが内側に収縮及び交差し、少なくとも１つのオーバーラップ部を構成することができ、２つのフィットサイドがともに円弧を形成し、頬の皮膚により密着することができ、同時に前記カット部により前記オーバーラップ部が形成されることにより、２つの前記フィットサイドの密合効果を増加させ、前記マスク本体をつける時の被覆性を大幅に向上させ、空気中の細菌、ウイルスがマスク本体の両側の辺縁から侵入することを防止することを特徴とする被覆性のあるマスク。
【請求項２】
前記マスク本体には複数の前記折り畳み部が設けられており、前記マスク本体の２つの前記フィットサイドともに複数のカット部が設けられていることを特徴とする請求項１の被覆性のあるマスク。
【請求項３】
前記マスク本体のカット部は２つの前記フィットサイドの折り畳み部の外側が剪断され形成されることを特徴とする請求項２の被覆性のあるマスク。
【請求項４】
前記マスク本体のカット部は２つの前記フィットサイドの折り畳み部の所が剪断され形成されることを特徴とする請求項２の被覆性のあるマスク。
【請求項５】
前記マスク本体のカット部の剪断深さは、少なくとも前記フィットサイドの加熱およびプレスされたところの幅の２分の１であることを特徴とする請求項１ないし４のいずれかの被覆性のあるマスク。
【請求項６】
前記マスク本体のカット部の剪断深さは前記フィットサイドの加熱およびプレスされたところの幅と同じであることを特徴とする請求項１ないし４のいずれかの被覆性のあるマスク。
【考案の詳細な説明】
【技術分野】
【０００１】
本考案はマスク構造に関し、特に被覆性のあるマスクに関する。
【背景技術】
【０００２】
従来のマスク２０は、図６、図７、図８に示すように、平面である。前記マスク２０は、折り畳まれて複数の折り畳み部２１を有し、折り畳み部２１を引き伸ばすことで、前記マスク２０が広げられる。前記マスク２０の両側の辺縁が加熱およびプレスされて、２つの縁取り部２２が形成される。２つの前記縁取り部２２により、前記マスク２０を両側の折り畳み部２１に形成し、フィットして固定する。前記マスク１０の折り畳み部２１が伸ばされて使用される際に、前記縁取り部２２により、マスク２０の両側は引き伸ばされずに済む。前記マスク２０は、２つの前記縁取り部２２に熱融合されるイヤーストラップ２３をさらに含み、これにより１つのマスク構造が完成させる。
【０００３】
従来のマスク２０を使用する時、まず前記折り畳み部２１を持ち上げ口と鼻の外に展開し、前記イヤーストラップ１３を２つの耳に掛けることにより、外部の空気汚染を防止し、かつ飛沫感染を防止する目的が達成される。しかし、前記イヤーストラップ２３の両端はそれぞれ前記縁取り部２２の上、下の位置に連結されるので、前記マスク２０を装着する時、前記縁取り部２２はイヤーストラップ２３が上、下の位置だけを引っ張るため、前記縁取り部２２の中央位置が潰れて外側へ拡大して変形し、前記マスク２０の両側の辺縁がユーザーの頬の皮膚にフィットすることができない。さらに、前記マスク２０の両側の辺縁と頬との間には隙間２４が生成させるため、前記マスク２０の被覆効果が大幅に低下する。したがって、空気中の細菌、ウイルスは両側の隙間２４からマスク２０の内部へ侵入しやすく、マスク２０の着用効果に影響し、実用性に欠けるため、改善する必要がある。
【０００４】
これを考慮して、本考案の考案者は、この分野の製品の長年の製造開発、及び設計の経験に基づいて、上記の課題を解決するために、詳細な設計及び精密な評価をした上で、実用的な本考案を得た。
【考案の概要】
【考案が解決しようとする課題】
【０００５】
本考案が解決しようとする課題は、従来技術に存在する上述の欠点を解決し、被覆性のあるマスクを提供する。
【課題を解決するための手段】
【０００６】
本考案のマスク構造は、マスク本体を含み、前記マスク本体は平面構造であり、その中央部分は折り畳まれて少なくとも１つの折り畳み部が設けられ、前記マスク本体は、折り畳み部を通して引き伸ばされ、かつ広げられ、前記マスク本体の両側の辺縁が加熱およびプレスされて、２つのフィットサイドが形成されたことによって、前記マスク本体は両側の辺縁の折り畳み部に固定するように成形され前記マスクの折り畳み部が伸ばされ使用される際に、前記２つのフィットサイドによって、前記マスク本体の両側の辺縁が引き伸ばされることが制限され、また前記マスク本体の２つの前記フィットサイドはともに横方向の剪断によって少なくとも１つのカット部が設けられたことによって前記マスク構造が構成される。
【０００７】
好ましくは、前記マスク本体には複数の前記折り畳み部が設けられており、前記マスク本体の２つの前記フィットサイドともに複数のカット部が設けられている。
【０００８】
好ましくは、前記マスク本体のカット部は２つの前記フィットサイドの折り畳み部の外側が剪断され形成される。
【０００９】
好ましくは、前記マスク本体のカット部は２つの前記フィットサイドの折り畳み部の所が剪断され形成される。
【００１０】
好ましくは、前記マスク本体のカット部の剪断深さは少なくとも前記フィットサイドの加熱およびプレスされたところの幅の２分の１。
【００１１】
好ましくは、前記マスク本体のカット部の剪断深さは前記フィットサイドの加熱およびプレスされたところの幅と同じ。
【００１２】
従来技術の効果を比較する：前記マスク本体の両側の辺縁のフィットサイドは、ともに少なくとも１つの前記カット部を設置し、前記マスク本体の２つのフィットサイドは着用して引っ張られる際に、前記カット部を通して２つのフィットサイドが内側に収縮かつ交差し、少なくとも１つの前記オーバーラップ部を構成することができ、２つのフィットサイドが頬の皮膚をより貼り付けることができ、同時に前記カット部を利用して前記オーバーラップ部が形成されることにより、２つの前記フィットサイドの密合効果を増加させ、前記マスク本体をつける時の被覆性を大幅に向上させ、空気中の細菌、ウイルスがマスク本体の両側の辺縁からマスクに侵入することを防止する目的を達成し、前記マスク本体の使用安全性と保護効果を向上させることを促進できる。
【００１３】
さらに、カット部の設計による前記マスク本体は、２つの前記フィットサイドの変わりやすさを増加することに役立ち、２つの前記フィットサイドが異なる顔の形状に応じて適切に内側に収縮かつオーバーラップさせることができ、同時に２つの前記フィットサイドの被覆効果を維持しながら、さまざまな顔の形に適しており、マスク本体の実用性を大幅に向上させる。
【図面の簡単な説明】
【００１４】
【図１】図１は、本考案の立体図である。
【図２】図２は、本考案の部分拡大立体図である。
【図３】図３は、本考案を実際に着ける状態を示す概略図である。
【図４】図４は、本考案を実際に着ける状態を示す部分拡大概略図である。
【図５】図５は、本考案の別の実施形態を示す立体図である。
【図６】図６は、従来のマスクの立体図である。
【図７】図７は、従来のマスクを実際に着ける状態を示す概略図である。
【図８】図８は、従来のマスクを実際に着ける状態を示す部分拡大概略図である。
【考案を実施するための形態】
【００１５】
本考案の目的、特徴、及び効果をよく理解するために、以下、図面を参照しながら、詳しく説明する。
【００１６】
まず、図１、図２に示すように、本考案のマスク構造は、マスク本体１０を含み、前記マスク本体１０は平面構造であり、その中央部分は折り畳まれて複数の折り畳み部１１が設けられ、前記マスク本体１０は、折り畳み部１１を通して引き伸ばされ、かつ広げられ、前記マスク本体１０の両側の辺縁が加熱およびプレスされて、２つのフィットサイド１２が形成されたことによって、前記マスク本体１０を両側の辺縁の折り畳み部１１に固定するように成形され、その２つの前記フィットサイド１２によって、前記マスク本体１０の両側の辺縁の引き伸ばされることが制限され、また前記マスク本体１０の２つの前記フィットサイド１２ともに横方向の剪断によって少なくとも１つのカット部１２１が設けられており、これによって本考案のマスク構造が構成される。
【００１７】
前記マスク本体１０は複数層の布地を含み、製造機械で集合的に積層された後、溶接されて形成され、次に所定のサイズに切断され、そして両側の辺縁は、加熱およびプレスされて、２つの前記フィットサイド１２が形成される。上記マスク本体１０は切断、加熱およびプレスされる過程で、同時に刃輪を利用して２つの前記フィットサイド１２に適当な距離を離れたところで、マスク本体１０の防護効果に影響させないように前記カット部１２１を形成する。これにより、前記カット部１２１の剪断深さは少なくとも前記フィットサイド１２の加熱およびプレスされたところの幅の２分の１であり、好ましくは、前記カット部１２１の剪断深さは前記フィットサイド１２の加熱およびプレスされたところの幅と同じである。さらに、２つの前記フィットサイド１２には、複数のカット部１２１を設けることができ、前記カット部１２１は２つの前記フィットサイド１２の折り畳み部の外側が剪断され形成し、それらは２つの前記フィットサイドの折り畳み部の所が剪断され形成することもできる（図３に示す）。
【００１８】
次に、図１、図２、図４、図５に示すように、この構造の実際に使用される状態を以下のように説明すると、前記マスク１０は、２つの前記フィットサイド１２に熱融合されるイヤーストラップ１３をさらに含み、前記マスク１０を使用する時、まず前記折り畳み部１１を持ち上げ口と鼻の外に展開し、前記イヤーストラップ１３を２つの耳に掛けることにより、外部の空気汚染を防止し、かつ飛沫感染を防止する目的を達成する。しかし、前記イヤーストラップ１３の両端はそれぞれ前記フィットサイド１２の上、下の位置に連結されるため、前記マスク１０を装着する時、前記フィットサイド１２はイヤーストラップ１３が上、下の位置だけを引っ張ることになってしまうが、ここで、前記カット部１２１を通して２つのフィットサイド１２が内側に収縮かつ交差し、少なくとも１つのオーバーラップ部１２２を構成することができ、さらに顔のサイズに対応する曲線の円弧を形成し、２つのフィットサイド１２が頬の皮膚をより貼り付けることができる。同時に、前記カット部１２１により前記オーバーラップ部１２２が形成されることにより、２つの前記フィットサイド１２の密合効果を増加させ、前記マスク本体をつける時の被覆性を大幅に向上させ、空気中の細菌、ウイルスがマスク本体の両側の辺縁からマスクに侵入することを防止する目的を実現することができる。
【００１９】
上記の特定の実施形態の構造により、以下の利点を得ることができる。前記マスク本体１０の両側の辺縁のフィットサイド１２は、ともに少なくとも１つの前記カット部１２１を設置し、前記マスク本体１０の２つのフィットサイド１２は着用して引っ張られる際に、前記カット部１２１を通して２つのフィットサイド１２が内側に収縮かつ交差し、少なくとも１つの前記オーバーラップ部１２２を構成することができ、２つのフィットサイド１２が頬の皮膚をより貼り付けることができ、同時に前記カット部１２１を利用して前記オーバーラップ部１２２が形成されることにより、２つの前記フィットサイド１２の密合効果を増加させ、前記マスク本体１０をつける時の被覆性を大幅に向上させ、空気中の細菌、ウイルスがマスク本体１０の両側の辺縁からマスクに侵入することを防止する目的を達成し、前記マスク本体１０の使用安全性と保護効果を向上させることを促進できる。
【００２０】
さらに、カット部１２１の設計による前記マスク本体１０は、２つの前記フィットサイド１２の変わりやすさを増加することに役立ち、２つの前記フィットサイド１２が異なる顔の形状に応じて適切に内側に収縮かつオーバーラップさせることができる。同時に、２つの前記フィットサイド１２の被覆効果を維持しながら、さまざまな顔の形に適しており、マスク本体１０の実用性を大幅に向上させる。
【００２１】
以上は、本考案に係る実施例の一部に過ぎないため、本考案の実施範囲を制限するものではない。即ち、本考案登録請求の範囲内で行われる変化、修飾なども本考案の範囲に属すべきである。
【符号の説明】
【００２２】
１０        マスク本体
１１        折り畳み部
１２                  フィットサイド
１２１          カット部
１２２          オーバーラップ部
１３                  イヤーストラップ
２０        マスク
２１                  折り畳み部
２２                  縁取り部
２３                  イヤーストラップ
２４                  隙間
【図１】
0003231964.tif 000003
【図２】
0003231964.tif 000004
【図３】
0003231964.tif 000005
【図４】
0003231964.tif 000006
【図５】
0003231964.tif 000007
【図６】
0003231964.tif 000008
【図７】
0003231964.tif 000009
【図８】
0003231964.tif 000010